(57)【要約】      （修正有）【課題】腱鞘炎などの病にかかりにくく、作業能率を向上できる。【解決手段】ばねの反発力により刃先が開口する剪定鋏における柄の部分において、柄の握り部分の掌の先方に当たる位置に爪状の突起物を設けて、作業の際に掌が先方に滑って移動しない構造を有する剪定鋏とする。なお、この爪状の突起物が不必要な場合に備えて柄の部分に格納できる構造とする。【選択図】図２
0003130999.tif 000002
【実用新案登録請求の範囲】
【請求項１】
果樹、花木の剪定又は果実の収穫に用いる剪定鋏のうち、柄を握りしめたときに刃先が閉じて剪定を終え、握りしめた掌を緩めるとばねの反発により柄と刃先が開口する構造を有する剪定鋏において、作業中に掌が自然に先方へずれることを防止するため、柄の握り部分の掌に位置するところにストッパーを設けた剪定鋏。
【請求項２】
請求項１において、ストッパ−を出入り自在に柄の部分に格納される構造を有する剪定鋏。
【請求項３】
請求項１において、ビスどめによる固定、または固定したストッパー構造を有する剪定鋏。
【考案の詳細な説明】
【技術分野】
【０００１】  本考案は、バネの反発力で刃先が開口する剪定鋏において、握り部分に爪状のストッパ−（以下ストッパ−）を設けて、作業の際に自然に掌が先方に滑るごとく移動することを防止できる剪定鋏の構造に関するものである。
【背景技術】
【０００２】  バネの反発力で刃先が開口する構造の剪定鋏は存在するが、連続する剪定作業や収穫の際に掌が刃先の方向に自然に移動して、頻繁に柄を握り直す、又は必要以上に強い握力をかけないと切れない場合が多く、腱鞘炎を引き起こすなどの欠点がある。【０００３】  園芸用の剪定鋏のなかには、掌が先方へずれにくくしている構造のものも存在するか、通常の剪定作業や果実の収穫作業に使用するバネなどを内蔵した剪定鋏には、前項の欠点が顕著である。【０００４】  特に果樹、花木の剪定作業にあたって前述のようにバネの反発力で刃先が開口する構造の剪定鋏を用いることが便利であるが、太めの枝を切る場合、握り柄も最大角度で開くので、次第に掌が滑るように刃先方向に移動してしまい、頻繁に柄を握り直す、又は必要以上に強い握力をかけないと切れない場合が多く、連続作業が困難となり支障をきたす。
【考案の開示】
【考案が解決しようとする課題】
【０００５】  従来、果実園芸や生花園芸などの作業において、鋏の刃先がバネの反発力を利用して開口する構造の剪定鋏（以下剪定鋏）を用いることが非常に多い。【０００６】  近年、農家の高齢化など作業能率の向上が望まれる状況であるにもかかわらず、これらの剪定鋏を使用する際に掌を緩めるたびに握り柄がバネの力で大きく開くので緩めた掌の中で鋏が手前に移動し、自然に掌が刃先方向にずれる如く移動するので、作業中に握り具合が悪くなり握り直すことが常習となり作業能率にも影響する。【０００７】  特に、握り直しを不精して連続作業を続けると前項で述べた如く、手首、指などが腱鞘炎となり作業を中断せざるをえなくなる可能性が非常に高い。
【課題を解決するための手段】
【０００８】  この考案は、前述の如き果樹等の手入れと収穫時に摘果や摘芯作業時に使用する剪定鋏の欠点を改善するため、掌で握る柄の中央付近にストッパ−を添設し、作業中に掌から逃げるごとく剪定鋏が手前に移動しないよう、常時に剪定鋏の柄の部分の適切な位置を掌で確保できるストッパ−を設けた構造とする。【０００９】  すなはち、剪定鋏の柄の部分に添設したストッパ−に、柄を握っている掌の移動が制限され掌が刃先方向に自然にずれることを防止する。【００１０】  また、剪定鋏の柄の部分に添設するストッパ−は、使用目的に応じて柄の部分に出し入れ自在の構造とし、普段の取扱いに支障のない構造を付加する。
【考案の効果】
【００１１】  この考案による剪定鋏を、果実の収穫や生花の収穫および摘果・摘芯の作業に用いることで常時に鋏の刃先と手元が一定間隔に保たれるので優れた利便性が生まれる。【００１２】  従来、剪定鋏を用いて連続した作業をする場合、刃先や柄の開口により柄を握っていた掌を最大限に緩めると、バネの反発力で柄の開口角度が最大になるため取り落としたり、再三述べてきた如く掌が刃先方向に滑って移動するようなことが無くなって、連続作業における支障が大きく減少する。【００１３】  この考案による剪定鋏を使用した場合、握った剪定鋏の自然移動を防ぐことが出来るので、握り直しの必要もなく、また、必要最小限の握力で切り取れるため、手首、指が腱鞘炎などの病にかかりにくく、連続作業を可能とし、作業能率の向上も期待できる。【００１４】  従って、花木や果樹の収穫と摘芯作業等の能率が、大幅に向上しかつ便利である。
【考案の実施するための最良の状態】
【００１５】  この考案のあらましの形態は、前述の［０００８］および［０００９］の項で述べた通りであるが、通常の剪定鋏の柄のやや中央部分に出し入れ自在のストッパ−を内蔵する。
【００１６】  また、柄の部分のストッパ−は柄に付属するロックボタンを押すことで、ストッパ−バネが働いて、柄を握った掌の刃先方向に位置したところ、やや中央部分にストッパ−が突出する構造も付加する。
【００１７】  従って、剪定鋏を使用する際に、必要に応じてロックボタンを操作してストッパ−が突出して鋏と掌の滑り移動が制限され、作業中に掌が刃先方向に自然移動したり取り落とす如き不具合が無くなる。
【００１８】  一方、柄に添設されたストッパ−が邪魔になって収納や保管に支障が有る場合は、ストッパ−を柄の部分に押し込むことでロックされて通常の剪定鋏の形態となる。
【実施例】
【００１９】  以下、この考案の実施の形態を図面に基ずいて説明する。まず図２において、剪定鋏１のａの部分に支持されたストッパ−２を添設する。【００２０】  図３において、このストッパ−２は常に柄３のａの部分に保持ピンｂで取りつけられており、押し出しバネ４の力で図のように突出する構造とする。【００２１】  つまり、図３の形状の如く摘果・摘芯や生花・果実の収穫など連続して作業する場合に、ロックボタン６を押すことでロック機構５が解除されてバネ４によりストッパ−２が突出する。この場合、簡略して片方の柄だけにストッパ−２を付属することも考えられる。【００２２】  ストッパ−２は柄３に押し込むことで図４の点線７の如くロックされて格納される。【００２３】  この考案のよる剪定鋏は、ストッパ−２を柄３の中央付近に格納しまたは突出できる構造であるが、ストッパ−２を突出したままの状態に固定した構造も考えられる。
【図面の簡単な説明】
【００２３】
【図１】  一般的に市販する剪定鋏の代表例２種類の形状を説明する見取図。
【図２】  考案による剪定鋏１の柄３の部分にストッパ−２を添設し、柄３から突出した状態を説明する見取図。
【図３】  考案による剪定鋏１のストッパ−２が柄３から突出した状態を拡大して説明する見取図。
【図４】  考案による剪定鋏１の柄３の部分にストッパ−２を柄３の部分に格納した状態を拡大して説明する見取図。
【符号の説明】
【００２４】  １．  剪定鋏。
２．  ストッパ−
３．  剪定鋏１の柄。
４．  ストッパ−２の押し出しバネ。
５．  ストッパ−２のロック機構。
６．  ストッパ−２のロックボタン。
７．  柄３に格納されたストッパ−２。
ａ．  ストッパ−２の格納位置。
ｂ．  ストッパ−２の支持機構。
【図１】
0003130999.tif 000003
【図２】
0003130999.tif 000004
【図３】
0003130999.tif 000005
【図４】
0003130999.tif 000006